(57)【要約】  投射器は、光ビームを発生するための光源（１２）を有するキャビネット（１０）と、光ビームを反射するための鏡（４０）と、鏡を保持するための保持手段（３０）とを含み、保持手段はキャビネットに移動可能に結合される。鏡は保持手段に対して移動可能である。
2007538285.tif 000002
【特許請求の範囲】
【請求項１】
光ビームを発生するための光源を有するキャビネットと、
前記光ビームを反射するための鏡と、
前記キャビネットに移動可能に結合された、前記鏡を保持するための保持手段とを含み、
前記鏡は前記保持手段に対して移動可能であることを特徴とする、
投射器。
【請求項２】
前記保持手段は、カバー又はカバーの一部である、請求項１に記載の投射器。
【請求項３】
前記鏡は、前記保持手段内で摺動可能である、請求項１に記載の投射器。
【請求項４】
前記保持手段は、その内部に前記鏡の縁部を収容するためのスロットを有する、請求項３に記載の投射器。
【請求項５】
前記鏡は、前記保持手段に対してシフト可能である、請求項１に記載の投射器。
【請求項６】
前記保持手段は、鏡を保持手段に結合するために、多数のアームを含む、請求項１に記載の投射器。
【請求項７】
当該投射器は、前記保持手段を前記キャビネットに対して駆動するための駆動手段を有する、請求項１に記載の投射器。
【請求項８】
当該投射器は、前記保持手段が前記キャビネットに対して移動されるとき、前記鏡を前記保持手段に対して移動するための結合手段を有する、請求項１に記載の投射器。
【発明の詳細な説明】
【技術分野】
【０００１】
本発明は、光ビームを発生するための光源を有するキャビネットと、光ビームを反射するための鏡と、キャビネットに可動に結合された、鏡を保持するための保持手段とを含む投射器に関する。
【背景技術】
【０００２】
冒頭段落に記載される種類の実施態様は、米国特許第６，１９０，０１５Ｂ１号から既知である。既知の投射器は、キャビネットと、キャビネットに対して移動可能な保持手段と、保持手段に取り付けられた鏡とを有する。キャビネットは、光ビームを発生するための光源を有する。光ビームはキャビネットを離れ、鏡の上で反射し、投射スクリーンの方向に移動する。鏡の位置を適合することによって、光ビームの方向を制御し得る。鏡の相対位置のために、光ビームは適切に反射されることが重要である。よって、光ビームを投射スクリーンに向かって反射するために、鏡は比較的大きくなければならない。しかしながら、もし鏡が大き過ぎるならば、それは過剰に多くの空間を占め、多くの不便を招く。
【発明の開示】
【発明が解決しようとする課題】
【０００３】
比較的小さなサイズの鏡を有する冒頭段落に記載された種類の投射器を提供することが本発明の目的である。
【課題を解決するための手段】
【０００４】
本発明のこの目的は、投射器が、保持手段に対して移動可能な鏡を有することによって達成される。本発明の鏡は、比較的小さく、保持手段に対して移動可能である。投射器が動作していないとき、保持手段及び鏡はキャビネットによって覆われており、キャビネットを越えず、よって、多くの空間を節約する。投射器が動作するとき、保持手段はキャビネットから離れて移動し、鏡は、光ビームを投射スクリーンに反射するよう、反射地点を保持手段に対して調節するために、保持手段から出て移動可能である。その結果、鏡は、保持手段の異なる位置のために、光ビームと整列される。
【０００５】
この問題のための他の解決策があるであろう。即ち、単に鏡をより小さく製造する。しかしながら、実際には、それは真実な解決策ではない。何故ならば、それは他の問題を引き起こすからである。もし鏡が小さ過ぎるならば、それは、保持手段の各位置のために、光ビームを投射スクリーンに反射し得ない。
【０００６】
本発明に従った投射器の実施態様において、保持手段は、カバー又はカバーの一部である。その利点は、カバーの閉塞時に、カバーが鏡及びキャビネット内の構成素子を保護し得ることである。
【０００７】
本発明に従った投射器の実施態様において、鏡は保持手段内で摺動可能である。好ましくは、保持手段は、鏡の縁部をその中に収容するためのスロットを有する。その利点は、スロットが比較的単純な構造であることである。
【０００８】
本発明に従った投射器の他の実施態様において、鏡は保持手段に対してシフト可能である。典型的には、シフト可能な鏡は多数のアームを用いて駆動される。よって、保持手段は、鏡を保持手段に結合するために、多数のアームを有する。その利点は、そのような構造が極めて単純であることである。
【０００９】
本発明に従った投射器の実施態様において、投射器は、保持手段をキャビネットに対して駆動するための駆動手段を有する。それは便利な構造である。
【００１０】
本発明に従った投射器の実施態様において、投射器は、保持手段がキャビネットに対して移動されるときに、鏡を保持手段に対して移動するための結合手段を有する。それは鏡を保持手段に対して自動的に移動させ得る。１つの動作が、第二の動作をもたらす。
【００１１】
投射器のこれらの及び他の特徴は、本発明に従って、以降に記載される実施例及び実施態様から並びに添付の図面を参照して明らかに解明されるであろう。
【発明を実施するための最良の形態】
【００１２】
図面を通じて類似の部分を指し示すために、同一の参照番号が用いられている。
【００１３】
図１は、本発明に従った投射器の実施態様を概略的に示している。投射器は、キャビネット１０と、保持手段３０と、保持手段内に収容された鏡４０とを含む。投射器は、キャビネット１０と保持手段３０とを結合するための蝶番２０をさらに含む。
【００１４】
キャビネットは、光源１２と、輝度変調装置１４と、光学手段１６と、駆動装置１８と、結合装置１９とを含む。光源１２は、光ビームを発生するよう配置されている。輝度変調装置１４は、光ビームを変調するために配置されている。光学手段１６は、輝度変調装置１４から送信される光ビームを集束し或いは発散し、且つ、画像を形成するよう配置されている。駆動装置１８は、動作を引き起こす力を与えるために用いられる。結合装置１９は、駆動装置１８によって駆動されて移動する。
【００１５】
保持手段３０は蝶番２０によってキャビネットに結合され、保持手段は、キャビネット１０に対して移動するよう、結合装置１９によって結合されている。
【００１６】
鏡４０は、保持手段３０内に移動可能に収容され、結合手段と結合されている。鏡４０は、キャビネット１０の光学手段１６を出た光ビームを反射するために用いられる。
【００１７】
投射器が使用されているとき、光源１２は光ビームを発生するよう配置され、次に、光ビームは引き続き輝度変調装置１４及び光学手段１６を通過し、キャビネット１０から出る。駆動装置１８は、結合装置１９を移動させるよう配置され、結合装置１９は、保持手段３０及び鏡４０をキャビネット１０に対して、鏡４０を保持手段３０に対して結合するよう配置されている。よって、もし光ビームがキャビネット１０から出るならば、鏡４０は、光ビームを投射スクリーン（図示せず）に反射するために、その位置を調節する。
【００１８】
図２Ａにおいて、投射器は使用されていない。よって、保持手段３０は、キャビネット１０内の光学手段１６及び鏡４０を保護するために、キャビネットを覆っている。
【００１９】
図２Ｂにおいて、投射器は使用中である。鏡４０は、キャビネット１０の頂部表面と４５°の角度を有する。もし光ビームが図２Ｂに描写されるようにキャビネット１０から出るならば、駆動装置１８は、結合装置１９を駆動して移動し、結合装置１９は、図２Ｂに描写されるように、光ビームを投射スクリーンに反射するために、保持手段３０及び鏡４０を結合して相対的に移動する。
【００２０】
図２Ｃにおいて、投射器は使用中である。鏡４０は、キャビネット１０の頂部表面と４０°の角度を有する。もし光ビームが図２Ｃに描写されるようにキャビネット１０から出るならば、駆動装置１８は、駆動装置１９を駆動して移動し、結合装置１９は、光ビームを投射スクリーンに反射するために、保持手段３０及び鏡４０を結合して相対的に移動する。図２Ｃに描写されるように、鏡４０は、光ビームを反射するために、保持手段３０から抜け出て結合される。
【００２１】
この実施態様において、鏡及び保持手段は比較的小さく、キャビネットを越えない。よって、保持手段及び鏡は過剰な空間を占めない。他方、保持手段がキャビネット１０の頂部表面に対して移動するとき、鏡は、光ビームを投射スクリーンに反射するよう反射地点を保持手段に対して調節するために、保持手段に対して移動し得る。その結果、鏡は、保持手段の異なる位置のために、光ビームと整列される。
【００２２】
図３は、図１の線Ｉ−Ｉ上で取られた断面を概略的に示している。保持手段３０は、鏡４０の２つの縁部を摺動可能に保持するために、２つのスロット３１を含む。駆動装置１８は、結合装置１９を駆動して移動するために用いられる。結合装置１９は、保持手段及び鏡と接触した状態で、保持手段と移動可能に結合されている。
【００２３】
図４は、投射器の他の実施態様の一部を概略的に示している。本実施態様は、図１と関連して記載されたような第一実施態様と類似している。この実施態様において、投射器は２つの保持手段３０を有し、それらは相互に接続されていない。各保持手段３０は、鏡４０の１つの縁部をその内部に保持するためのスロット３１を含む。
【００２４】
図５は、投射器のさらなる実施態様の一部を概略的に示している。この実施態様は、図１との関連で記載されたような第一実施態様と類似している。相違点は、保持手段３０が、鏡４０の２つの縁部を収容する如何なるスロットをも有さないことである。この実施態様は、鏡を保持手段３０と移動可能に結合する４つのアーム３２を含み、それらのうちの２つは描写されていない。よって、鏡４０は、保持手段３０とシフト可能に結合されている。
【００２５】
上記の実施態様は、本発明を限定するというよりも、むしろ例証するものであること、並びに、当業者であれば、添付の請求項の範囲から逸脱することなく代替的な実施態様を設計し得ることが留意されるべきである。請求項において、括弧内に配置される如何なる参照番号も、請求項を限定するものと解釈されるべきではない。「含む」という用語は、請求項中に列挙されていない素子又はステップの存在を排除しない。ある素子に先行する不定冠詞は、そのような素子が複数存在することを排除しない。幾つかの離散的な素子を含むハードウェアによって、並びに、適切にプログラムされたコンピュータを用いて、本発明を実施し得る。幾つかの手段を列挙する装置クレームにおいて、これらの手段の幾つかを１つ且つ同一事項のハードウェアで具現化し得る。第一、第二、及び、第三等の用語の使用は、如何なる順番も指し示さない。これらの用語は名前として解釈されるべきである。
【図面の簡単な説明】
【００２６】
【図１】投射器の実施態様を示す概略図である。
【図２Ａ】鏡が異なる位置に配置された投射器の実施態様を示す概略図である。
【図２Ｂ】鏡が異なる位置に配置された投射器の実施態様を示す概略図である。
【図２Ｃ】鏡が異なる位置に配置された投射器の実施態様を示す概略図である。
【図３】図１の線Ｉ−Ｉ上で取られた断面を概略的に示す断面図である。
【図４】投射器の他の実施態様の一部を示す断面図である。
【図５】投射器のさらなる実施態様の一部を示す概略図である。
【図１】
2007538285.tif 000003
【図２Ａ】
2007538285.tif 000004
【図２Ｂ】
2007538285.tif 000005
【図２Ｃ】
2007538285.tif 000006
【図３】
2007538285.tif 000007
【図４】
2007538285.tif 000008
【図５】
2007538285.tif 000009
【国際調査報告】
2007538285.tif 000010
2007538285.tif 000011